(57)【要約】      （修正有）【課題】裸足で装具を装着しても、装具を装着した足を傷つけることのない関節用装具を提供する。【解決手段】関節用装具１は、本体部２と、本体部２を脛に固定する脛ベルト３１および本体部２を足首に固定する足首ベルト３２を有する第一の固定部材と、足の甲を固定する甲ベルト２３Ｌおよび２３Ｒを有する第二の固定部材と、足首に交差して巻き付けられ、足首を固定するクロスベルト２４Ｌおよび２４Ｒを有する第三の固定部材と、を備えている。本体部２の下部から右方向に向かって形成されている甲ベルト２３Ｒの上部には、足首前面を保護する保護部材２６が形成されている。【選択図】図１
0003216569.tif 000002
【実用新案登録請求の範囲】
【請求項１】
足首に固定される本体部と、
前記本体部を足首に固定する少なくとも一つの固定部と、を備え、
前記本体部が、足首前面を保護する第一の保護部材を備える、関節用装具。
【請求項２】
前記固定部が、第一の固定部材を備え、
前記第一の固定部材によって、前記本体部が脛及び／又は足首に固定される、請求項１に記載の関節用装具。
【請求項３】
前記本体部が、第二の固定部材を備え、
前記第二の固定部材は、足の甲を固定する、請求項１または２に記載の関節用装具。
【請求項４】
前記本体部が、第三の固定部材を備え、
前記第三の固定部材は、足首に交差して巻き付けられ、足首を固定する、請求項１〜３のいずれか一項に記載の関節用装具。
【請求項５】
前記第一の保護部材が、前記固定部及び／又は本体部の内側で甲に当接することを特徴とする、請求項１〜４のいずれか一項に記載の関節用装具。
【請求項６】
前記本体部が、くるぶしを保護するための第二の保護部材を更に備える、請求項１〜５のいずれか一項に記載の関節用装具。
【請求項７】
前記本体部に収容され、足首を固定するためのステーを備える、請求項１〜６のいずれか一項に記載の関節用装具。
【請求項８】
前記本体部は、前記ステーを収容するためのポケット部を備え、
前記ポケット部は、前記ステーを保持するためのフラップ部を備える、請求項７に記載の関節用装具。
【請求項９】
前記第一の保護部材が、ダブルラッセル生地から形成される請求項１〜８のいずれか一項に記載の関節用装具。
【請求項１０】
前記関節用装具は裸足装着用である、請求項１〜９のいずれか一項に記載の関節用装具。
【考案の詳細な説明】
【技術分野】
【０００１】
本考案は、足首の関節を固定する関節用装具に関する。
【背景技術】
【０００２】
従来から、外傷の予防や患部の治療の目的で、関節の保護や固定等を行う医療用の関節用装具が使用されている。
【０００３】
このような装具として、例えば、特許文献１には、下腿部から足首近傍までを被覆してサポートする下腿被覆サポート部、および、中足部から踵部辺りを被覆してサポートする足被覆サポート部を備え、前開き構造を有するブーツ状の装具本体と、装具本体の一端辺部に固定されるストラップと、他端辺部に固定されるストラップとを備える足の装具が開示されている。
【先行技術文献】
【特許文献】
【０００４】
【特許文献１】特開２００４−１５４４３０号公報
【考案の概要】
【考案が解決しようとする課題】
【０００５】
しかしながら、従来の関節用装具は整形外科領域の医療現場において、装具を裸足で装着する場合、足首に巻き付けられるベルトが肌に触れることにより、足を傷つけてしまうおそれがあった。
【０００６】
本考案は、このような状況に鑑みてなされたものであり、裸足で関節用装具を装着しても足を傷つけることのない関節用装具を提供することを目的とする。
【課題を解決するための手段】
【０００７】
上記課題を解決するために、本考案の一実施形態である関節用装具は、足首に固定される本体部と、前記本体部を足首に固定する少なくとも一つの固定部と、を備え、前記本体部が、足首前面を保護する第一の保護部材を備える構成である。
【考案の効果】
【０００８】
本考案に係る関節用装具は、裸足で装着しても足を傷つけることなく装着することができる。
【図面の簡単な説明】
【０００９】
【図１】本考案の実施形態に係る関節用装具の開いた状態の外側面を示す模式図である。
【図２】本考案の実施形態に係る関節用装具の開いた状態の内側面を示す模式図である。
【図３】本考案の実施形態に係る関節用装具の装着手順を示す模式図である。
【図４】本考案の実施形態に係る関節用装具の装着手順を示す模式図である。
【図５】本考案の実施形態に係る関節用装具の装着手順を示す模式図である。
【図６】本考案の実施形態に係る関節用装具の装着手順を示す模式図である。
【図７】本考案の実施形態に係る関節用装具の変形例を示す模式図である。
【図８】本考案の実施形態に係る関節用装具の変形例を示す模式図である。
【図９】本考案の実施形態に係る関節用装具の変形例を示す模式図である。
【００１０】
以下、本考案を実施するための好適な実施形態について図面を参照して説明する。なお、以下に説明する実施形態は、本考案の代表的な実施形態の一例を示したものであり、これにより本考案の範囲が狭く解釈されることはない。また、本考案は、下記の実施例及びその変形例のいずれかを組み合わせることもできる。
【００１１】
（１）関節用装具の構成例
図１及び図２を用いて、本考案の一実施形態に係る関節用装具の構成について説明する。なお、各図面において共通する符号については、特に必要のない限り説明を省略する。
【００１２】
図１は、本実施形態に係る関節用装具の開いた状態の外側面を示す模式図である。図２は、本実施形態に係る関節用装具の開いた状態の内側面を示す模式図である。
図１に示すように、本実施形態に係る関節用装具１は、本体部２と、本体部２を脛に固定する脛ベルト３１および本体部２を足首に固定する足首ベルト３２を有する第一の固定部材と、足の甲を固定する甲ベルト２３Ｌおよび２３Ｒを有する第二の固定部材と、足首に交差して巻き付けられ、足首を固定するクロスベルト２４Ｌおよび２４Ｒを有する第三の固定部材と、を備えている。以下、各部についてより詳細に説明する。
【００１３】
（１−１）本体部２について
本体部２は、平面形状が略扇形形状で、関節用装具１を装着したときに足首に接する内側面と、その反対側の外側面と、を有している。
図１に示すように、本体部２の外側面にはカバー部２１Ｌとベース部２２Ｌ、およびカバー部２１Ｒとベース部２２Ｒで構成されるポケット部が左右対称に形成されており、例えば水硬化性ステー（キャストステー）等を収容することができる。カバー部２１Ｌおよび２１Ｒの内側にはそれぞれ面ファスナ部４１Ｌおよび４１Ｒが形成されている。また、本体部２の下方には、かかとに当接する開口部２５が形成されている。
【００１４】
本体部２の下部から右方向に向かって形成されている甲ベルト２３Ｒの上部には、足首前面を保護する保護部材２６が形成されている。保護部材２６は固定部または本体部よりも内側で甲に当接するように配置されていればどの位置に設けてもよく、例えば本体部２の右側面下部に形成されていてもよい。そして、甲ベルト２３Ｌおよび２３Ｒからも足首前面を保護するために、足の甲に最も内側で当接する甲ベルト２３Ｒの上部に設けられていることが好ましい。本実施形態に係る関節用装具１は、保護部材２６を設けることにより、裸足の場合や、薄手の靴下やストッキングを履いている場合等、装具を装着する際に第一の固定部材又は第二の固定部材もしくは第三の固定部材が触れて足を傷つけてしまうおそれがある場合に好適に用いることができる。特に、装具を裸足で装着する場合には、各固定部材が皮膚に直接触れるおそれがあり、足を傷つけたり、痛みを生じたりしやすいため、本実施形態に係る関節用装具１を好適に用いることができる。
【００１５】
図２に示すように、本体部２の内側面には、くるぶしを保護するための保護部材２７Ｌ、２７Ｒが設けられている。保護部材２７Ｌ、２７Ｒを設けることにより、本体部２や、ポケット部に収容する水硬化性ステーがくるぶしに当たった際に、痛みを生じることを防ぐことができる。なお、硬化後のステーがくるぶしに当たっても痛みを生じない場合には、保護部材２７Ｌ、２７Ｒを設けなくてもよい。
【００１６】
本体部２及び保護部材２６を構成する糸素材としては、天然繊維、化学繊維のいずれでもよく、例えば、ポリアミド系繊維、ポリエステル系繊維、アクリル系繊維、セルロース系繊維（綿、レーヨン、ポリノジック、リヨセル等）、ポリウレタン系繊維、ポリオレフィン系繊維（ポリエチレン，ポリプロピレン等）、アセテート系繊維、ポリ塩化ビニリデン系繊維、ポリ塩化ビニル系繊維、毛（羊毛、獣毛等）などを単独で用いた糸、又はこれら繊維を混用した糸を用いることができる。糸の種類としては、モノフィラメント、マルチフィラメント、撚糸、カバードヤーン、コアヤーン等が利用でき、伸縮加工や嵩高加工等を施したものを利用してもよい。
【００１７】
また、本体部２及び保護部材２６の編成としては、経編又は緯編の各種編組織が利用でき、例えば、ダブルラッセル生地、平編生地、ゴム編（リブ編）生地、パール編生地、タック編生地、丸編生地、横編生地、トリコット生地、ラッシェル生地、パイル編生地、添え糸編生地等が利用できる。
【００１８】
ここで、ダブルラッセル生地は一本の糸から編目を作りながらループと呼ばれる輪をつなぎ合わせて作り、ループがもつ弾力性で伸長力に寄与することができ、このループから空気を透過させる事ができる。このため、ダブルラッセル生地を用いることにより、通気性を確保することができる。
【００１９】
本体部２の外側面は、脛ベルト３１、足首ベルト３２、クロスベルト２４Ｌおよび２４Ｒを係着させるために、糸素材がループ状に起毛されている面ファスナとすることが好ましい。
【００２０】
（１−２）固定部材について
第一の固定部材は、図１において、本体部２の上部右側から右方向に向かって取り付けられており、本体部２を脛に固定する脛ベルト３１と、本体部２を足首に固定する足首ベルト３２とを有する。脛ベルト３１と足首ベルト３２は、それぞれカバー部２１Ｒの内側面に取り付けられることが好ましい。また、図２に示すように、脛ベルト３１および足首ベルト３２の端部の内側面には、面ファスナ部４２および４３が形成されている。
【００２１】
第二の固定部材は、図１に示すように、本体部２の下部において左右方向に向かって形成されている甲ベルト２３Ｌおよび２３Ｒを有する。甲ベルト２３Ｌおよび２３Ｒは、足の甲を固定するために用いられる。図２に示すように、甲ベルト２３Ｌの端部の内側面には、面ファスナ部４４が形成されている。面ファスナ部４４を係着させるために、甲ベルト２３Ｒの外側面は糸素材がループ状に起毛されている面ファスナとすることが好ましい。
【００２２】
第三の固定部材は、図１に示すように、本体部２の下部中央から左右方向に向かって形成されているクロスベルト２４Ｌおよび２４Ｒを有する。クロスベルト２４Ｌおよび２４Ｒは、足首に交差して巻き付けられ、足首を固定するために用いられる。図２に示すように、クロスベルト２４Ｌおよび２４Ｒの端部の内側面には、面ファスナ部４５Ｌおよび４５Ｒが形成されている。
【００２３】
本実施形態では、第一の固定部材が本体部２の右方向に２つ、第二の固定部材および第三の固定部材が本体部２の下部から左右にそれぞれ１つずつ形成されているが、固定部材の数やその取り付け位置はこれに限られない。
また、本実施形態に係る関節用装具１では、面ファスナ部４２、４３、４４、４５Ｌおよび４５Ｒに面ファスナが設けられ、本体部２の外側面に糸素材がループ状に起毛されて、係着させる構造となっているが、本体部２の外側面に面ファスナを設け、各固定部材の端部を糸素材がループ状に起毛された構成としてもよい。また、これらを係着させる構造は面ファスナに限らず、公知の係着構造を採用することができ、例えばバックルやスナップボタンを用いてもよい。
【００２４】
（２）関節用装具の装着手順の一例
本実施形態に係る関節用装具１の装着手順の一例について、図３〜図６を参照しながら説明する。なお、各図面において共通する符号については、特に必要のない限り説明を省略する。
本実施形態では、患者の右足に装着する手順の一例について説明する。なお、本考案に係る関節用装具は、患者の左右どちらの足にも装着することができる。
【００２５】
まず、患者のかかとを開口部２５に当接させ、患者の右足首ＲＡを本体部２の内側面に密着させた後、図３に示すように、保護部材２６が足首前面を覆うように甲ベルト２３Ｒを配置する。そして、甲ベルト２３Ｌおよび２３Ｒを足の甲に巻き付け、面ファスナ部４４（図示略）を甲ベルト２３Ｒに係着させる。
【００２６】
次に、図４に示すように、脛ベルト３１および足首ベルト３２を脛側からふくらはぎ側に回して巻き付け、面ファスナ部４２、４３（図示略）をそれぞれ本体部２の外側面に係着させる。
【００２７】
そして、図５に示すように、クロスベルト２４Ｌおよび２４Ｒを足首に交差するように巻き付け、それぞれ図６に示すように本体部２の外側面に係着させる。
【００２８】
以上のように、本実施形態に係る関節用装具１は、足首前面を保護する保護部材２６を備えることにより、後から足首に巻き付ける脛ベルト３１、足首ベルト３２、クロスベルト２４Ｌおよび２４Ｒが触れて足が傷つくことを防ぐことができる。
【００２９】
（３）変形例について
図７〜図９を用いて、本考案の一実施形態に係る関節用装具の変形例について説明する。
【００３０】
図７に示すように、関節用装具１のベース部２２Ｌには、水硬化性ステー（以下、単にステーという）を保持するためのフラップ部５Ｌを設けることができる。同様に、ベース部２２Ｒにもフラップ部５Ｒ（図示略）を設けることができる。ステーをポケット部内に保持するフラップ部を設けることにより、ステーの硬化後に歩行等で足首を動かしても、ステーの位置ずれを抑制することができる。
【００３１】
フラップ部５Ｌおよび５Ｒの形状は、ポケット部内に収容するステーをしっかりと固定できるのであればどのような形状であってもよい。ステーをしっかりと固定し、足首を動かしたときの位置ずれを抑制するためには、図７に示すように、フラップ部５Ｌにおいてポケット部の出口側の２辺がベース部２２Ｌに縫い付けられていることが好ましい。フラップ部５Ｌ、５Ｒの外側面は、カバー部２１Ｌ、２１Ｒを係着させるために、糸素材がループ状に起毛されている面ファスナとすることが好ましい。
【００３２】
ステーは、含水させた後に乾かして固めるものであり、強度を出すための芯材を備えている。芯材は、基布と、基布に含浸する水硬化性樹脂とで構成され、これらの厚みや材質によってステーの強度を出している。
【００３３】
ステーの基布は、柔軟であって、低水分率で引張強度が高く、水硬化性樹脂に非反応性でかつ濡れやすい素材から作られた編物、織物、不織布等を使用することができる。例えば、ガラス繊維、アラミド繊維、ポリエステル繊維、ポリオレフィン繊維、ポリアミド繊維、ポリアクリル繊維、レーヨン繊維、綿繊維等を用いた編物、織物、不織布を用いることができ、これらを単独または任意に選択して組み合わせてもよい。特にガラス繊維、ポリエステル繊維の糸を用いてラッシェル編みしたものが好ましく、厚さは約０．０８〜５ｍｍ程度にすることが好ましい。
【００３４】
水硬化性樹脂は、水分と接触することにより硬化する樹脂であり、例えばポリオール類と過剰のポリイソシアネート類の反応から得られるポリウレタンプレポリマーを用いることができる。
【００３５】
図８および図９を用いて、ステーの収容方法について説明する。
まず、アルミパウチから採型前のステー６を取り出し、取り出したステー６を含水させる。そして、含水させたステー６から余分な水分を除去する。
【００３６】
次に、図８に示すように、余分な水分を除去したステー６を、本体部２のカバー部２１Ｌとベース部２２Ｌとの間のポケット部に収容し、図９に示すようにフラップ部５Ｌでステー６の位置を固定した後、面ファスナ部４１Ｌでポケット部を閉じる。同様に、カバー部２１Ｒとベース部２２Ｒとの間のポケット部にもステー６を収容し、フラップ部５Ｒ（図示略）でステー６の位置を固定した後、面ファスナ部４１Ｒでポケット部を閉じる。
【００３７】
このようにして、関節用装具１にステー６を収容した後、（２）関節用装具の装着手順の一例で示した手順で、関節用装具１を患者の足に装着することで、足首前面を固定部材から保護しつつも、簡易かつ迅速に装着でき、ステーの硬化後の位置ずれも抑制することができる。
【符号の説明】
【００３８】
１  関節用装具
２  本体部
２１Ｌ、２１Ｒ  カバー部
２２Ｌ、２２Ｒ  ベース部
２３Ｌ、２３Ｒ  甲ベルト
２４Ｌ、２４Ｒ  クロスベルト
２６、２７Ｌ、２７Ｒ  保護部材
３１  脛ベルト
３２  足首ベルト
５Ｌ、５Ｒ  フラップ部
６  ステー
【図１】
0003216569.tif 000003
【図２】
0003216569.tif 000004
【図３】
0003216569.tif 000005
【図４】
0003216569.tif 000006
【図５】
0003216569.tif 000007
【図６】
0003216569.tif 000008
【図７】
0003216569.tif 000009
【図８】
0003216569.tif 000010
【図９】
0003216569.tif 000011